Podtech/llm-jp-corpus-v4-ja_patent huggingface dataset:
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
動作時に光を放射するように構成された半導体チップ（１）と、光を放射する前記半導体チップ（１）の表面に対向するカバー層（２）とを備える構成体であって、半導体チップ（１）から放射された光がカバー層（２）に浸透する形式の構成体において、
・チップと重なるカバー層（２）の領域には光を偏向する構造体（４，７，９，１１，１５，１６）が設けられており、
該構造体によって、前記カバー層（２）を透過する光はカバー層（２）の長手伸長部の方向に偏向され、
・前記カバー層（２）は光導体として作用し、光が分散され、カバー層の上側を介して放射されるように構成されており、
・前記カバー層（２）内には変換物質が設けられており、
該変換物質は発光体からなり、第１の波長の光により励起されると第２の波長の光を放射し、または
・少なくとも１つの変換層（１３）が、半導体チップ（１３）と前記カバー層（２）の間に配置されている、ことを特徴とする構成体。
【請求項２】
請求項１記載の構成体において、
カバー層（２）の方向を指す方向は半導体チップ（１）の主照射方向である、ことを特徴とする構成体。
【請求項３】
請求項１記載の構成体において、
半導体チップ（１）は、反対方向の２つの主照射方向を有する、ことを特徴とする構成体。
【請求項４】
請求項２または３記載の構成体において、
半導体チップ（１）は、薄膜チップ、とりわけ基板レス薄膜チップである、ことを特徴とする構成体。
【請求項５】
請求項１または２記載の構成体において、
カバー層（１）の厚さは、７から１５０μｍの間である、ことを特徴とする構成体。
【請求項６】
請求項１記載の構成体において、
前記カバー層（２）はシートであり、光学的に透明な材料または半透明な材料からなるか、または透過性の材料からなる、ことを特徴とする構成体。
【請求項７】
請求項１記載の構成体において、
半導体チップ（１）とは反対側のカバー層（２）の上側には鏡面化部（７）が設けられており、
該鏡面化部は実質的に、半導体チップ（１）の光放射性表面の大きさを有する、ことを特徴とする構成体。
【請求項８】
請求項１記載の構成体において、
半導体チップ（１）の方向を指すカバー層（２）の側には、鏡面化部（６）が半導体チップ（２）の領域外で設けられている、ことを特徴とする構成体。
【請求項９】
請求項１記載の構成体において、
カバー層（２）は、半導体チップ（１）の表面と直接接触している、ことを特徴とする構成体。
【請求項１０】
請求項１記載の構成体において、
カバー層（２）には光学素子（７，９，１１，１５，１６）が光偏向のために組み込まれている、ことを特徴とする構成体。
【請求項１１】
請求項１０記載の構成体において、
該光学素子はプリズム（９）、レンズ（１５）または回折格子である、ことを特徴とする構成体。
【請求項１２】
請求項１記載の構成体において、
光偏向のために、フォトニック結晶からなる層（１６）が設けられている、ことを特徴とする構成体。
【請求項１３】
請求項１記載の構成体において、
構成体の厚さは、３０から３００μｍである、ことを特徴とする構成体。
【請求項１４】
請求項１記載の構成体において、
カバー層（２）には表面ディフューザが設けられている、ことを特徴とする構成体。
【請求項１５】
請求項１記載の構成体において、
カバー層（２）内にはボリュームフューザが設けられている、ことを特徴とする構成体。
【請求項１６】
請求項１記載の構成体において、
カバー層（２）内にはホログラフィックな構造体が設けられている、ことを特徴とする構成体。
【請求項１７】
請求項１記載の構成体において、
カバー層（２）として、種々異なる構造体および/または種々異なる屈折率を有する複数のシートの組合せが設けられている、ことを特徴とする構成体。
【請求項１８】
請求項１記載の構成体において、
カバー層（２）と、半導体チップ（１）の表面との間には、結合媒体からなる層（１２）が設けられている、ことを特徴とする構成体。
【請求項１９】
請求項１７記載の構成体において、
半導体チップ（１）の表面とカバー層（２）との間の層（１２）は、半導体チップ（２）を電気接触接続するために導電性の光学的構造体を含む、ことを特徴とする構成体。
【請求項２０】
請求項１記載の構成体において、
カバー層の構造体とフォトニック結晶からなる層（１５）の両方が設けられている、ことを特徴とする構成体。
【請求項２１】
請求項１または２記載の構成体を、ディスプレイ用のバックグランド照明として使用する使用法。
【手続補正書】
【提出日】平成23年2月25日(2011.2.25)
【手続補正１】
【補正対象書類名】明細書
【補正対象項目名】０１２３
【補正方法】変更
【補正の内容】
【０１２３】
２）印刷性の判断基準：
○：i）パターン転写が均一であり、ii）パターン上にホールが発生せず、iii）パターンの短絡が発生しない。
×：前記i）〜iii）のうちの１つ以上の現象が現れる。
【手続補正２】
【補正対象書類名】特許請求の範囲
【補正対象項目名】請求項２４
【補正方法】変更
【補正の内容】
【請求項２４】
前記遮蔽部材は多角形形状の開口部を有し、前記開口部は面取りされた、請求項１６に記載のフィルター。
【手続補正３】
【補正対象書類名】特許請求の範囲
【補正対象項目名】請求項３９
【補正方法】変更
【補正の内容】
【請求項３９】
前記表示パネルはプラズマ表示パネルである、請求項２９に記載の装置。
【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
（Ａ）１５〜２５ｗｔ％の、ＥＥＡとＥＢＡの少なくとも１つ、
（Ｂ）５〜１５ｗｔ％の均一ポリエチレン、
（Ｃ）３〜１２ｗｔ％の、有機官能基を含む１つ又は複数の化合物で変性されたエチレン樹脂、
（Ｄ）４０〜６５ｗｔ％の非ハロゲン化難燃剤、及び、
（Ｅ）１〜８ｗｔ％のシリコーンポリマー
を含む組成物。
【請求項２】
前記均一ポリエチレンの密度が０．９０ｇ／ｃｃ以下である、請求項１に記載の組成物。
【請求項３】
前記エチレン樹脂は、不飽和カルボン酸、無水不飽和脂肪二酸、エポキシ化合物、ヒドロキシ化合物、金属塩及びシラン化合物から選択される、有機官能基を含む１つ又は複数の化合物で変性されている、請求項１に記載の組成物。
【請求項４】
前記非ハロゲン化難燃剤が、ＡＴＨと、赤リン、シリカ、アルミナ、酸化チタン、カーボンナノチューブ、タルク、クレー、有機変性クレー、炭酸カルシウム、ホウ酸亜鉛、三酸化アンチモン、珪灰石、マイカ、オクタモリブデン酸アンモニウム、フリット、中空ガラスミクロスフェア、膨張化合物及び膨張黒鉛の少なくとも１つとのブレンドである、請求項１に記載の組成物。
【請求項５】
１つ若しくは複数の導電体若しくは通信媒体、又は２つ以上の導電体若しくは通信媒体の心線を含み、前記導電体、通信媒体、又は心線の少なくとも１つが、請求項１に記載の組成物を含む外装で囲まれているケーブル。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
少なくとも１種の、一般構造
【化１】
2010520938.tif 000001
を有するビフェニルジ（メタ）アクリレートモノマーを１０重量％〜１００重量％含む、重合可能な樹脂組成物の反応生成物からなる、重合微細構造化表面を有する光学フィルム。
【請求項２】
炭素−炭素結合によって連結された２つの芳香環及び少なくとも１種の（メタ）アクリレート置換基をオルト位又はメタ位に含む芳香環を含む、少なくとも１種のビフェニルジ（メタ）アクリレートモノマーを１０重量％〜１００重量％、及び１種以上の単官能性希釈剤を約４０重量％以下の量で含む、重合可能な樹脂組成物の反応生成物からなり、かつ
前記希釈剤は、芳香族単官能性（メタ）アクリレートモノマーであり、該重合可能な樹脂組成物の芳香族単官能性（メタ）アクリレートモノマーはすべて、単官能性ビフェニルモノマー、フェノキシエチル（メタ）アクリレート、フェノキシ−２−メチルエチル（メタ）アクリレート、フェノキシエトキシエチル（メタ）アクリレート、３−ヒドロキシ−２−ヒドロキシプロピル（メタ）アクリレート、ベンジル（メタ）アクリレート、フェニルチオエチルアクリレート、２，４，６−トリブロモフェノキシエチルアクリレート、２，４−ジブロモフェノキシエチルアクリレート、２−ブロモフェノキシエチルアクリレート、フェノキシ−２−メチルエチルアクリレート、フェノキシエトキシエチルアクリレート、３−フェノキシ−２−ヒドロキシプロピルアクリレート、２，４−ジブロモ−６−ｓｅｃ−ブチルフェニルアクリレート、２，４−ジブロモ−６−イソプロピルフェニルアクリレート、フェニルアクリレート、２，４，６−トリブロモフェニルアクリレート、ペンタブロモベンジルアクリレート、及びペンタブロモフェニルアクリレートからなる群から選択される、重合微細構造化表面を有する光学フィルム。
【請求項３】
ビフェニルジ（メタ）アクリレートモノマーが、一般構造
【化２】
2010520938.tif 000002
を有し、式中、それぞれのＲ１は、独立して、Ｈ又はメチルであり、
それぞれのＲ２は、独立して、Ｂｒであり、
ｍは、０〜４の範囲であり、
それぞれのＱは、独立してＯ又はＳであり、
ｎは、０〜１０の範囲であり、
Ｌは、１つ以上のヒドロキシル基により任意に置換されたＣ２〜Ｃ１２のアルキル基であり、
ｚは、芳香環であり、
ｔは、独立して、０又は１であり、かつ
−Ｑ［Ｌ−Ｏ］ｎＣ（Ｏ）Ｃ（Ｒ１）＝ＣＨ２基の少なくとも１つは、オルト位又はメタ位にて置換されている、請求項２に記載の光学フィルム。
【請求項４】
前記モノマーが、一般構造
【化３】
2010520938.tif 000003
又は
【化４】
2010520938.tif 000004
を有する、請求項３に記載の光学フィルム。
【請求項５】
前記モノマーが、少なくとも１．５５の屈折率を有する、請求項２に記載の光学フィルム。
【請求項６】
炭素−炭素結合によって連結された２つの芳香環及び少なくとも１種の（メタ）アクリレート置換基をオルト位又はメタ位に含む芳香環を含む、少なくとも１種のビフェニルジ（メタ）アクリレートモノマーを少なくとも１０重量％、無機ナノ粒子を少なくとも４０重量％、及び１種以上の芳香族単官能性（メタ）アクリレートモノマー希釈剤を約４０重量％以下の量で含む、ハロゲン化されていない重合可能な樹脂組成物の反応生成物からなる、重合微細構造化表面を有する光学フィルム。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
下記の工程：
0.6mmよりも大きい直径を有するスチールワイヤーから出発する工程；および、
前記ワイヤーを、水性分散液の形にある潤滑剤組成物の存在下に、減少する直径を有する１連のダイによって延伸して、0.5mmよりも小さい所定最終直径に減じる工程；
を含み、前記水分酸液が5〜40個の炭素原子を含む脂肪酸のエステルの固形粒子を含むことを特徴とする、スチールワイヤーの湿式延伸方法。
【請求項２】
前記脂肪酸が、14〜22個の炭素原子を含む、請求項１記載の方法。
【請求項３】
前記脂肪酸エステルが下記の式に相応する、請求項１記載の方法：
[R‐COO‐]x‐A‐[‐OH]y        (I)
(式中、Rは、線状または枝分れの飽和または不飽和炭化水素基であり；
Aは、結合価 x ＋ yを有し、必要に応じて1個以上のヘテロ原子によって遮断された炭化水素基であり；
xは、平均数 1〜5であり；
yは、平均数 0〜5であり；
x ＋ yは、1〜10で変動する)。
【請求項４】
前記エステルが、下記の式に相応するジエステルである、請求項３記載の方法；
R1‐CO‐O‐A‐O‐CO‐R2        (II）
(式中、R1およびR2は、同一または異なるものであって、線状または枝分れの飽和または不飽和の4〜39個の炭素原子を含む炭化水素基である)。
【請求項５】
二価の基Aが、下記の式に相応する、請求項４記載の方法：
‐(CH2)z‐[EO]m‐[PO]m'‐(CH2)z'‐
(式中、zおよびz'は、同一または異なるものであって、1〜10の整数であり；
EOは、任意構成成分としてのエチレンオキシド基であり；
POは、任意構成成分としてのプロピレンオキシド基であり；
mおよびm'は、同一または異なるものであって、0〜100の範囲内の平均数である)。
【請求項６】
前記ジエステルが、下記の式に相応する、請求項４記載の方法：
R1‐CO‐O‐(CH2)z"‐O‐CO‐R2        (III）
(式中、z"は、1〜10の１つの整数である)。
【請求項７】
前記ジエステルが、下記の式に相応する、請求項６記載の方法：
H3C‐(CH2)n‐CO‐O‐(CH2)z"‐O‐CO‐(CH2)n'‐CH3        (IV)
(式中、z"は、1〜4の整数であり；
nおよびn'は、同一または異なるものであって、14〜20の整数である)。
【請求項８】
Aが、メチレン、エチレン、プロピレンおよびブチレン基、並びにこれらの基の混合物によって形成される群から選ばれるアルキレンである、請求項４記載の方法。
【請求項９】
前記ジエステルが、下記の式のエチレングリコールジアステアレートである、請求項７記載の方法：
H3C‐(CH2)16‐CO‐O‐(CH2)2‐O‐CO‐(CH2)16‐CH3        (V)
【請求項１０】
前記水性分散液が、0.05〜6%のエステル粒子(質量％)を含む、請求項１記載の方法。
【請求項１１】
前記エステル粒子が、0.1〜50μmの粒度を有する粒子を少なくとも90質量％含む粒度分布を有する、請求項１記載の方法。
【請求項１２】
前記水分散液が、更に界面活性剤を含み、前記界面活性剤が、非イオン性界面活性剤である、請求項１記載の方法。
【請求項１３】
前記界面活性剤が、ポリオキシエチレン/ポリオキシプロピレンブロックコポリマーである、請求項１２記載の方法。
【請求項１４】
前記ブロックコポリマーが、構造：[EO]p‐[PO]p"‐[EO]p'を有するコポリマーである、請求項１３の方法：
(式中、EOは、エチレンオキシド基であり；pおよびp'は、同一または異なるものであって、2〜1000の範囲内の平均数であり；
POは、任意構成成分としてのプロピレンオキシド基であり；p"は、2〜1000範囲内の平均数である)。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
少なくとも１つの過酸化物開始剤、少なくとも１つの炭化水素溶媒及び少なくとも１つの極性共溶媒を含むフリーラジカル開始剤系を使用して、高圧条件下で、エチレンおよび任意選択で少なくとも１つのコモノマーを重合するステップを含む、低密度ポリエチレンポリマーを生成するための高圧フリーラジカル重合法であって、
前記極性共溶媒は１つ以上のＣ１〜Ｃ３０アルコールである、高圧フリーラジカル重合法。
【請求項２】
前記過酸化物開始剤が有機過酸化物開始剤である、請求項１に記載の低密度ポリエチレンポリマーを生成するための高圧フリーラジカル重合法。
【請求項３】
請求項１の方法によって生成された低密度ポリエチレンポリマー。
【請求項４】
請求項３の低密度ポリエチレンから調製されたフィルム、成形品または押出しコーティング品。
【請求項５】
少なくとも１つの過酸化物開始剤、少なくとも１つの炭化水素溶媒及び少なくとも１つの極性共溶媒を含むフリーラジカル開始剤系を使用して、高圧条件下で、エチレンおよび任意選択で少なくとも１つのコモノマーを重合するステップを含む、低密度ポリエチレンポリマーを生成するための高圧反応器に過酸化物開始剤を定量して入れる改善法であって、
前記極性共溶媒は１つ以上のＣ１〜Ｃ３０アルコールである、改善法。
【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
一般式I
【化１】
2010520908.tif 000001
（式中、
Ｑ1が塩素、フッ素、又は臭素であり、並びにＱ2、Ｑ3、Ｑ4、Ｑ5及びＱ6が、互いに独立に、水素、ハロゲン、又はＣ1-4アルキルであり、
Ｒ1がＣ1-4アルキルであり、
Ｒ2が水素又はメチルであり、
Ｒ3が、tert−ブチル、１−ハロ−２−メチルプロプ−２−イル、１−メトキシ−２−メチルプロプ−２−イル、１−エトキシ−２−メチルプロプ−２−イル、１−アリルオキシ−２−メチルプロプ−２−イル、１−（プロプ−２−イニルオキシ）−２−メチルプロプ−２−イル、２−シアノ−１−メトキシプロプ−２−イル、２−シアノ−１−ハロプロプ−２−イル、２−シアノ−１−エトキシプロプ−２−イル、２−シアノ−１−（プロプ−２−イニルオキシ）−プロプ−２−イルであり、
Ｌは、硫黄又は酸素であり、及び
ｍは、０又は１である）
化合物、並びに式Ｉの化合物の塩及びＮ−酸化物。
【請求項２】
Ｑ3が、水素又はハロゲンである請求項１に記載の化合物。
【請求項３】
請求項１に記載の化合物の殺真菌有効量を含んでなるとともに、好適な担体又はその希釈剤を含んでなる、殺真菌組成物。
【請求項４】
請求項１に記載の化合物の殺真菌有効量を、植物に、植物の種子に、植物もしくは種子の生育場所に、又は土壌もしくは他の植物生育培地に、施用することを含んでなる、植物病原性真菌を駆除又は制御する方法。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
ＩＬ−８遮断薬を含む、肝疾患の治療および／または予防のための薬剤。
【請求項２】
（１）該薬剤がＴＲＡＩＬ遮断薬を含まない；または
（２）該薬剤がＴＲＡＩＬ遮断薬を追加的に含む、
請求項１に記載の薬剤。
【請求項３】
ＴＲＡＩＬ遮断薬を含む、肝炎の治療および／または予防のための薬剤。
【請求項４】
該薬剤がＩＬ−８遮断薬を追加的に含む、請求項３に記載の薬剤。
【請求項５】
肝疾患の治療および／または予防のための薬剤であって、ＩＬ−８遮断薬をコードする１以上の核酸分子を含む薬剤。
【請求項６】
（１）該薬剤がＴＲＡＩＬ遮断薬若しくはＴＲＡＩＬ遮断薬をコードする核酸分子を含まない、または
（２）該薬剤がＴＲＡＩＬ遮断薬若しくはＴＲＡＩＬ遮断薬をコードする核酸を追加的に含む、
請求項５に記載の薬剤。
【請求項７】
肝炎の治療および／または予防のための薬剤であって、ＴＲＡＩＬ遮断薬をコードする１以上の核酸分子を含む、薬剤。
【請求項８】
該ＩＬ−８遮断薬が肝細胞上にＴＲＡＩＬ−Ｒ２の発現を誘導するＩＬ−８活性を遮断し、
好ましくは、該ＩＬ−８遮断薬が、可溶性ＩＬ−８レセプターおよびＩＬ−８に親和性を有する抗体分子からなる群より選択される、請求項１、２、４〜６のいずれか１項に記載の薬剤。
【請求項９】
該ＴＲＡＩＬ遮断薬がＴＲＡＩＬリガンドとＴＲＡＩＬ死誘導レセプターとの相互作用を阻止し、
好ましくは、該ＴＲＡＩＬ遮断薬が、可溶性ＴＲＡＩＬレセプター、およびＴＲＡＩＬリガンドまたはＴＲＡＩＬ死誘導レセプターに親和性を有する抗体分子からなる群より選択される、請求項２〜４、６〜７のいずれか１項に記載の薬剤。
【請求項１０】
該肝疾患がＨＢＶ感染に関連し、好ましくは、該肝疾患が慢性ＨＢＶ感染、ｅＡｇ−ＣＨＢ感染、及び／又は、肝炎を呈する肝疾患であることを特徴とする、請求項１〜２および請求項５〜６のいずれか１項に記載の薬剤。
【請求項１１】
該薬剤が、ＩＦＮ−αもしくは抗ウィルス逆転写酵素剤、またはＩＦＮ−αをコードする核酸分子もしくは抗ウィルス逆転写酵素剤を追加的に含む、請求項１〜１０のいずれか１項に記載の薬剤。
【請求項１２】
肝疾患の治療および／または予防を補助する追加成分を含む薬剤であって、該追加成分が好ましくはＨＢＶ抗ウィルス剤である、請求項１〜１１のいずれか１項に記載の薬剤。
【請求項１３】
ＴＲＡＩＬ遮断薬およびＩＬ−８遮断薬をコードする発現ベクター。
【請求項１４】
ＴＲＡＩＬ遮断薬およびＩＬ−８遮断薬をコードする１以上の核酸分子により形質転換された宿主細胞。
【請求項１５】
ＴＲＡＩＬ遮断薬およびＩＬ−８遮断薬、またはＴＲＡＩＬ遮断薬およびＩＬ−８遮断薬をコードする１以上の核酸を、１以上の薬理学的に許容される賦形剤と共に含む、薬理学的に許容される組成物であって、
随意に、ＩＦＮ−αもしくは抗ウィルス逆転写酵素剤、またはＩＦＮ−αをコードする核酸分子もしくは抗ウィルス逆転写酵素剤を追加的に含む、組成物。
【請求項１６】
ＴＲＡＩＬ遮断薬と、ＩＦＮ−αもしくは抗ウィルス逆転写酵素剤との組み合わせ、またはＴＲＡＩＬ遮断薬をコードする１以上の核酸分子およびＩＦＮ−αもしくは抗ウィルス逆転写酵素剤を１以上の薬理学的に許容される賦形剤と共に含む、薬理学的に許容される組成物。
【請求項１７】
ＩＬ−８遮断薬と、ＩＦＮ−αもしくは抗ウィルス逆転写酵素剤との組み合わせ、またはＩＬ−８遮断薬をコードする１以上の核酸分子およびＩＦＮ−αもしくは抗ウィルス逆転写酵素剤を１以上の薬理学的に許容される賦形剤と共に含む、薬理学的に許容される組成物。
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
取付け芯（１３）を支持し、かつ受圧室（１１）を画成する弾性材による軸受弾性体（
１２）と、前記軸受弾性体（１２）に対向して配置され、前記軸受弾性体（１２）と協働
して前記受圧室（１１）を画成している弾性材による変形部材（１７）とを備え、前記受
圧室（１１）は、具体的には空気である気体を充填されて、ノズル開口（１８）を介して
雰囲気または別の室に連通しており、前記軸受弾性体（１２）および前記変形部材（１７
）がカップ状の筐体内に収容されている、具体的にはエンジンマウントである、自動車用
空気圧式防振マウント（１０）であって、前記変形部材（１７）は、前記受圧室（１１）
とは反対の底部側で、前記筐体（１５）と協働して空気室（２１）を画成しており、変形
部材（１７）は、前記筐体（１５）にスナップ嵌合できるように一体形成型取付フランジ
（１９）を有し、通気口（２３ａおよび２３ｂ）が前記空気室（２１）の前記領域内で前
記筐体（１５）に設けられ、前記ノズル開口（１８）が前記変形部材（１７）内に設けら
れていることを特徴とするマウント。
【請求項２】
前記空気室（２１）は、前記変形部材（１７）内に形成された少なくとも１つの溝状凹
部（２２）を含むことを特徴とする、請求項１に記載のマウント。
【請求項３】
前記空気室（２１）が、ノズル開口（２４）を介して前記受圧室（１１）と連通してい
ることを特徴とする、上記請求項のいずれか１つに記載のマウント。
【請求項４】
前記変形部材（１７）が、単一硬化部材として形成されていることを特徴とする、上記
請求項のいずれか１つに記載のマウント。
【請求項５】
前記ノズル開口（１８）が前記取付フランジ（１９）内に設けられていることを特徴と
する、上記請求項のいずれか１つに記載のマウント。
【請求項６】
前記変形部材（１７）が前記筐体（１５）内に硬化されている、または前記筐体（１５
）内に接合されていることを特徴とする、上記請求項のいずれか１つに記載のマウント。
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
生体試料中の複数の標的をプローブする方法であって：
（a）複数の標的を含有する試料を提供する工程；
（b）試料中に存在する1以上の標的へ、酵素へ連結した結合剤を含んでなる少なくとも1つのプローブを結合させる工程；
（c）結合したプローブを、蛍光シグナルジェネレータへ連結した酵素基質と反応させる工程；
（d）工程（c）の蛍光シグナルジェネレータからのシグナルを観測する工程；
（e）蛍光シグナルジェネレータと酵素をともに実質的に不活性化する酸化剤を含んでなる溶液を工程（c）の試料へ適用する工程；
（f）工程（e）の試料中に存在する1以上の標的へ、酵素へ連結した結合剤を含んでなる少なくとも1つのプローブを結合させる工程；
（g）結合したプローブを、蛍光シグナルジェネレータへ連結した酵素基質と反応させる工程；
（h）工程（g）の蛍光シグナルジェネレータからのシグナルを観測する工程；
を含んでなる、前記方法。
【請求項２】
工程（e）における溶液が塩基性溶液である、請求項1の方法。
【請求項３】
酵素が、ペルオキシダーゼ、アルカリホスファターゼ、β-D-ガラクトシダーゼ、及びグルコースオキシダーゼより選択される、請求項1または2の方法。
【請求項４】
蛍光シグナルジェネレータがシアニン色素を含む、請求項1〜3のいずれか1項の方法。
【請求項５】
工程（e）〜（h）を1回以上繰り返す、請求項1〜4のいずれか1項の方法。
【請求項６】
観測する工程（d）、工程（h）、又は工程（d）及び（h）が、試料中の少なくとも2つの標的を共局在化することを含む、請求項1〜5のいずれか1項の方法。
【請求項７】
観測する工程（d）、工程（h）、又は工程（d）及び（h）が、試料中の少なくとも1つの標的の定量的測定を含む、請求項1〜6のいずれか1項の方法。
【請求項８】
生体試料中の複数の標的をプローブする方法であって：
（a）複数の標的を含有する試料を提供する工程；
（b）試料中に存在する1以上の標的へ、ペルオキシダーゼへ連結した結合剤を含んでなる少なくとも1つのプローブを結合させる工程；
（c）結合したプローブを、蛍光シグナルジェネレータへ連結したペルオキシダーゼ基質と反応させる工程；
（d）工程（c）の蛍光シグナルジェネレータからのシグナルを観測する工程；
（e）蛍光シグナルジェネレータとペルオキシダーゼをともに実質的に不活性化する酸化剤を含んでなる溶液を工程（c）の試料へ適用する工程；
（f）工程（e）の試料中に存在する1以上の標的へ、ペルオキシダーゼへ連結した結合剤を含んでなる少なくとも1つのプローブを結合させる工程；
（g）結合したプローブを、蛍光シグナルジェネレータへ連結したペルオキシダーゼ基質と反応させる工程；
（h）工程（g）の蛍光シグナルジェネレータからのシグナルを観測する工程；
を含んでなる、前記方法。
【請求項９】
ペルオキシダーゼが、試料中又は試料が結合している固体支持体中に存在するフェノール基へペルオキシダーゼ基質が共有結合することを引き起こす、請求項8の方法。
【請求項１０】
生体試料中の複数の標的をプローブするためのキットであって：
酵素へ連結した結合剤を含んでなる複数のプローブ；及び
蛍光シグナルジェネレータへ連結した酵素基質；
を含んでなり、ここで酸化剤は、試料へ適用されるときに、蛍光シグナルジェネレータと酵素をともに実質的に不活性化する、前記キット。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
基材をコーティングするための絶縁保護コーティングであって、
結合層と粒子とを含み、
当該粒子は、電気的非伝導性材料を含んでいるとともに、
前記絶縁保護コーティングは、前記基材における伝導性結晶構造の成長を阻害するために十分な量の粒子を含んでいる、絶縁保護コーティング。
【請求項２】
前記粒子は、前記伝導性結晶構造の成長を阻害する蛇行経路を提供するものである、請求項１に記載の絶縁保護コーティング。
【請求項３】
前記絶縁保護コーティングおよび粒子は薄層を形成している、請求項１または２に記載の絶縁保護コーティング。
【請求項４】
前記粒子は、二酸化ケイ素およびセラミックからなるグループから選択される材料を含んでいる、前述の請求項のいずれか１項に記載の絶縁保護コーティング。
【請求項５】
前記結合層は、エポキシ、ポリウレタン、パラレン、アクリルおよびそれらの混合物からなるグループから選択される材料を含んでいる、前述の請求項のいずれか１項に記載の絶縁保護コーティング。
【請求項６】
前記結合層は、さらに、ポリエチレン、ポリプロピレン、ポリ塩化ビニル、スチレン、ポリウレタン、ポリイミド、ポリカーボネート、ポリエチレンテレフタレート、シリコーンおよびそれらの混合物からなるグループから選択される高分子材料を含んでいる、請求項５に記載の絶縁保護コーティング。
【請求項７】
前記粒子は、前記結合層の全体に実質的に均質に分散されている、前述の請求項のいずれか１項に記載の絶縁保護コーティング。
【請求項８】
前記結合層は、さらに、分散剤、結合剤、架橋剤、安定化剤、着色剤、ＵＶ吸収剤およびこれらの組合せからなるグループから選択される添加剤を含んでいる、請求項５に記載の絶縁保護コーティング。
【請求項９】
基材に隣接した伝導性結晶構造の形成を遮蔽する方法であって、
少なくとも結合層および粒子を有し、当該粒子が電気的非伝導性材料を含むとともに、前記基材に隣接する伝導性結晶構造の成長を阻害するために十分な量の粒子を含むものである、絶縁保護コーティングを準備するステップと、
前記基材上に前記絶縁保護コーティングを塗布するステップと、を含む、方法。
【請求項１０】
前記基材への前記絶縁保護コーティングの塗布は、ディップ−コーティング、スプレーコーティング、ブラシコーティング、ニードル分注、真空蒸着、および／またはそれらの混合からなるグループから選択される、請求項９に記載の方法。
【請求項１１】
前記基材は、キーパッド、集積回路、プリント配線基板、プリント回路基板、ハイブリッド、トランスデューサー、センサー、加速度計、コイル、光ファイバーコンポーネント、熱交換器、医療インプラント、流量計、磁石、光電セル、電気外科的器具、およびカプセル型超小型回路からなるグループから選択される、請求項９または１０に記載の方法。
【請求項１２】
前記絶縁保護コーティングは、前記伝導性結晶構造の成長を十分に阻害する蛇行経路を提供する、前述の請求項のいずれか１項に記載の方法。
【請求項１３】
前記結合層は、エポキシ、ポリウレタン、パラレン、アクリルおよびそれらの混合物からなるグループから選択された材料を含んでいる、前述の請求項のいずれか１項に記載の方法。
【請求項１４】
前記電気的非伝導性粒子は、二酸化ケイ素およびセラミックからなるグループから選択される材料を含んでいる、前述の請求項のいずれか１項に記載の方法。
【請求項１５】
前記粒子は、前記結合層の全体に実質的に均質に分散されている、前述の請求項のいずれか１項に記載の方法。
【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
ｉ）ラクツロースを全組成物の０．０５〜４９重量％、ならびに好適な担体、スタイリングポリマーおよび界面活性剤からなる群から選択される少なくとも１つの付加的成分を含む組成物を、頭髪に適用する工程；および
ｉｉ）頭髪を１００℃より高い温度に加熱する工程、
を含む、頭髪のスタイリング方法。
【請求項２】
二糖のレベルが、全組成物の０．２〜５重量％である、請求項１に記載の方法。
【請求項３】
組成物がヘアスタイリングポリマーをさらに含む、請求項１または２のいずれかに記載の方法。
【請求項４】
頭髪を１５０℃より高い温度に加熱する、請求項１〜３のいずれかに記載の方法。
【請求項５】
頭髪に耐湿性を付与するための、ラクツロースの使用。
【請求項６】
頭髪をストレートにするための、ラクツロースの使用。
【手続補正書】
【提出日】平成23年2月9日(2011.2.9)
【手続補正１】
【補正対象書類名】明細書
【補正対象項目名】００３３
【補正方法】変更
【補正の内容】
【００３３】
最後に、本発明の装置の特徴的な配置によると、カラム上のラインLkの接続は、ラインLkの容積を制限するために、Skの範囲内で高くとも２０°オフセットされ、カラムが機械的に弱くならないように２つの隣接するセクターSkおよびSk+1の間で平均角７０〜１１０°の範囲でオフセットされる。プレートは、好ましくは、平行セグメントを有するパネルDMEi,jを含み、その方向は、プレートとプレートの間でまたは２つのプレートの群当たりで変動する。
【手続補正２】
【補正対象書類名】明細書
【補正対象項目名】００３７
【補正方法】変更
【補正の内容】
【００３７】
前述の目的の一つに到達するために、本発明は、それ故に、擬似移動床吸着によって少なくとも１種の所望の化合物を、当該化合物を含む混合物から分離するための装置であって、該装置は、擬似移動床吸着によって、少なくとも１種の所望の化合物を、当該化合物を含む混合物から分離するための装置であって、
複数の吸着剤床Aiを含む少なくとも１つのカラムであって、該複数の吸着剤床Aiは、分配器／抽出器プレートPiによって分離され、該分配器／抽出器プレートPiは、少なくとも２種の供給流体：供給材料Ｆおよび脱着剤Ｄおよび少なくとも２種の抜き出された流体：ラフィネートＲおよび抽出液Ｅを順次的に供給および抽出するようにし、Piは、床Aiとその直下のAi+1の間に配置される、カラムを含み；
該装置は、少なくとも１つの供給材料ネットワークF-Net、脱着剤ネットワークD-Net、ラフィネートネットワークR-Netおよび抽出液ネットワークE-Netをさらに含み、これらのネットワークのそれぞれは、複数のラインを介してカラムに接続され、該ラインは、前記供給または抜き出し流体を順次的に供給または抜き出すために、ネットワークバルブと称される、α以上の開口径を有する二方向分離制御バルブを含み；
ここで、該カラムは、その高さの少なくとも主要部にわたり、複数の重ね合わされた隣接セクターSkに分割され、各セクターSkは、２つの連続する吸着剤床Ai、Ai+1および２つの分配器／抽出器プレートPi、Pi+1によって本質的に構成され、該２つの分配器／抽出器プレートPi、Pi+1は、それぞれ、AiおよびAi+1の直下に配置され（すなわち、正確に２つの床および２つのプレート並びに対応するシェル（shell）セクション）；
セクターSkのそれぞれの分配器／抽出器プレートPi、Pi+1のそれぞれは、Ｆ、Ｄ、Ｒ、Ｅの順次的供給および抜き出しのための単一の共通ネットワークを有し；
各セクターSkのプレートPi、Pi+1は、外側の主要バイパスラインLkを介して一緒に接続され、該外側主要バイパスラインLkは、コネクタを介してSkの各プレートPi、Pi+1のそれぞれに接続され、該コネクタは、単一の二方向分離制御バルブを含み、該単一の二方向分離制御バルブは、前記プレートPiまたはPi+1に属し、プレートバルブViまたはVi+1と称され、該プレートバルブViまたはVi+1は、前記供給または抜き出し流体の順次的なPiへの供給またはPiからの抜き出しのために値α以上である開口径を有し；
前記バイパスラインLkのそれぞれは、Lk中を移動する流れを制限するための少なくとも１つの制御手段を含み、該手段は、ラインLk上またはSkのプレートのプレートバルブViまたはVi+1の周りのバイパスのいずれかに設置され；
ここで、セクターSkのそれぞれのバイパスラインLkは、ネットワークF-Net、D-Net、R-NetおよびE-Netのそれぞれに単一のラインを介して接続され、該単一のラインは、α以上の内径を有し、それぞれ、単一のネットワークバルブVFk、VDk、VRk、VEkを含み、該単一のネットワークバルブは、Ｆ、Ｄ、ＲまたはＥに対応する流体の順次的な考慮中のセクターSkへの供給または該セクターSkからの抜き出しのためにα以上の開口径を有し；
該装置は、さらに、複数の外側二次バイパスラインMkを含み、ラインMkのそれぞれは、２つの隣接するセクターSk-1およびSkを、２つの接続点を介して接続し；
第１の接続点は、上部セクターSk-1の下部プレートPi-1に接続されたコネクタ上のPi-1とプレートVi-1の間に配置され；
第２の接続点は、下部セクターSkの上部プレートPiに接続されたコネクタ上のPiとプレートバルブViとの間に配置され；
外側二次バイパスラインMkのそれぞれは、二方向制御弁VMkを含み、該二方向制御弁VMkは、β以下の内部開口径を有し、ここで、β≦０．６αであり；
この装置は、少なくとも２つの隣接の重ね合わされたセクターSkおよびSk+1を含み、それぞれは、２つの分配器／抽出器プレートを有し、Skは、外側の主要バイパスラインLkによって接続されたプレートPi-1およびPiを含み、該外側の主要バイパスラインLkは、２つのコネクタを介してカラムに接続され、該２つのコネクタは、それぞれ、プレートのバルブViおよびVi+1を含み、Sk+1は、外側バイパスラインLk+1によって接続されたプレートPi+1およびPi+2を含み、該外側バイパスLk+1は、２つのコネクタを介してカラムに接続され、該２つのコネクタは、それぞれ、プレートバルブVi+2およびVi+3を含み；ここで、カラム上へのSkの２つのコネクタは、それらの間に、カラムの軸に対して角オフセット０または２０°以下を有し、カラム上へのSk+1の２つのコネクタは、それらの間に、カラムの軸に対して角オフセット０または２０°以下を有し、Skのコネクタは、Sk+1のコネクタに対して平均の角オフセット７０〜１１０°を有する；
装置を提案する。
【手続補正３】
【補正対象書類名】明細書
【補正対象項目名】０１０４
【補正方法】変更
【補正の内容】
【０１０４】
図３は、本発明の別の実施形態によるＳＭＢのカラムの一部を示す。プレートバルブ（参照符号なし）は、図２の装置におけるようなLk中のバイパス洗い流し流れを制限するための小さい補助バイパスラインlkを含まない。この機能は、漸進的な開口を典型的には有するバルブ：Lkについて９ＡおよびLk+1について９Ｂによって保証される。これは、補助ラインlk、lk+1が用いられることを可能にしないが、Lk中を流通する流れを制限しないために相対的に大きい径のバルブ９Ａ、９Ｂを必要とする。
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
基部と、前記基部と係合する蓋と、前記基部上のストリップと前記蓋との間に配置されるドレインピースとを含み、
サンプリング開口部は前記ドレインピースに面して、前記蓋に直接配置され、前記サンプリング開口部は前記蓋の内側に用意されたドレイングルーブと互いに通じ、前記ドレイングルーブは複数のドレインチャンネルにより形成され、
複数のストリップステージは前記蓋に用意された前記ドレインチャンネルの位置及び数に対応する位置及び数で前記基部に用意され、前記ドレインピースの縁は前記ストリップステージに載置されたストリップの前記サンプリング開口部の一端に隣接するサンプルパッドに重なり、且つ、
前記ドレインチャンネルは２つの上部末端と１つの下部末端とを含み、前記ドレインチャンネルの全てが順次接続され、前記２つの上部末端の内側は前記ステージの縁と咬合して前記基部の底面に直接達し、
前記下部末端の高さｈ２と前記上部末端の高さｈ１との関係は、次のように表される複合的な検出のためのイムノクロマトグラフィのストリップディスク。
ｈ２＝ｈ１−（ステージの高さ＋ストリップの粘着性のある基板の厚さ＋ストリップのサンプルパッドの厚さ）
【請求項２】
前記イムノクロマトグラフィのストリップディスクは、円、正方形、長方形、菱形、正多角形の何れかの形状であり、
前記サンプリング開口部は、前記形状の１つの幾何学中心に配置され、
且つ、前記基部の複数のストリップステージは、中心対称または軸対称に配置される請求項１の複合的な検出のためのイムノクロマトグラフィのストリップディスク。
【請求項３】
何組かの固定止め具は各ストリップステージの縁に沿って配置され、ナンバリング領域は前記基部の縁付近に前記ステージごとに配置される請求項１または２の複合的な検出のためのイムノクロマトグラフィのストリップディスク。
【請求項４】
前記ストリップステージは、３つの突起からなり、前記突起は前記対称中心または対称軸に隣接する端部が同じ高さの止め具によりふさがれた請求項１、２または３の複合的な検出のためのイムノクロマトグラフィのストリップディスク。
【請求項５】
何組かの加圧ピースは、前記ドレイングルーブのチャンネルが外側へ伸びる位置で前記蓋の内側に間を置いて配置され、結果観測ウィンドウ、終端点表示ウィンドウおよび固定リベットが前記蓋の内側に順次配置される請求項１乃至４の何れか一の複合的な検出のためのイムノクロマトグラフィのストリップディスク。
【請求項６】
何行かの掘削したリッベトは前記基部上に配置され、前記蓋の内側に配置された突き出たリベットに対応する請求項１乃至５の何れか一の複合的な検出のためのイムノクロマトグラフィのストリップディスク。
【請求項７】
前記蓋の外側のナンバは前記基部上のナンバに対応し、
検出したサンプルのシリアル番号をマークするために用いるＩＤウィンドウ、ユーザのための保持表示および挿入方向の表示が前記蓋の外側に配置される
請求項１乃至６の何れかの複合的な検出のためのイムノクロマトグラフィのストリップディスク。
【請求項８】
１）異なるナンバで、対応するステージ上に異なる種類のストリップを置くことによりイムノクロマトグラフィのディスクを組み立て、
２）前記サンプリング開口部を通して液体サンプルを添加し、且つ、前記終端点表示ウィンドウを通してテスト終端点を判定し、
３）結果観測ウィンドウを通して異なるストリップの結果を観察し且つ記録し、
４）特定の免疫反応の発生を判定するためのテスト結果と標品とを比較し、且つ、特定の分析物の存在を判定すること
を含む請求項１乃至７のいずれかのイムノクロマトグラフィのストリップディスクを用いることによる定性的検出に用いる複合的なイムノクロマトグラフィの検出方法。
【請求項９】
１）異なるナンバで、対応するステージ上に異なる種類のストリップを置くことによりイムノクロマトグラフィのディスクを組み立て、
２）前記サンプリング開口部を通して液体サンプルを添加し、且つ、前記終端点表示ウィンドウを通してテスト終端点を判定し、
３）前記蓋の外側のユーザのための保持表示および挿入方向表示にしたがって、検出装置にディスクを挿入し、
４）結果観測ウィンドウを通して１つのストリップを定量的に分析するために前記検出装置を電源オンし、且つ、前記ストリップに対応するテスト結果を装置に表示し、
５）前記ディスクを次のストリップに回転または移動してもう１つの定量分析を実施するために再び前記装置を電源オンし、
６）前記ディスク上の全てのストリップが分析されるまで５）を繰り返し、
７）特定の分析物の存在とその濃度を判定すること、
を含む請求項１乃至７のいずれかのイムノクロマトグラフィのストリップディスクを用いることによる定量的検出に用いる複合的なイムノクロマトグラフィの検出方法。
【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
患者から得られた体液中における C 型ナトリウム利尿ペプチド(CNP)、その前駆体またはそれらの断片のレベルを測定することによって、外傷性脳傷害がない、複数の外傷を負ったヒトまたは動物患者において敗血症の合併症を検査する方法であって、正常なレベルと比較して増大した CNP、その前駆体またはそれらの断片のレベルが、該患者が敗血症の合併症を有するかまたは敗血症の合併症を発症する危険があることを示す、方法。
【請求項２】
ヒトまたは動物患者が、ヒト、ウシ、シカ、動物園の動物、ペット、実験動物または労働動物の患者であることを特徴とする、請求項１に記載の方法。
【請求項３】
患者から得られた体液中における C 型ナトリウム利尿ペプチド(CNP)、その前駆体またはそれらの断片のレベルを測定することによって、外傷性脳傷害がない、複数の外傷を負ったヒト患者において敗血症の合併症を検査する方法であって、正常なレベルと比較して増大した CNP、その前駆体またはそれらの断片のレベルが、該患者が敗血症の合併症を有するかまたは敗血症の合併症を発症する危険があることを示す、方法。
【請求項４】
患者の血液、血清または血漿サンプル中における CNP、その前駆体またはそれらの断片の量を測定することによって、該患者から得られた体液中における CNP、その前駆体またはそれらの断片のレベルが測定されることを特徴とする、請求項１から３のいずれか一項に記載の方法。
【請求項５】
正常なレベルが、敗血症の合併症を有さないかまたは敗血症の合併症を発症する危険がない患者のレベルであることを特徴とする、請求項１から４のいずれか一項に記載の方法。
【請求項６】
測定される CNP の前駆体の断片が C 型ナトリウム利尿ペプチドの前駆体の N 末端断片(NT-proCNP)であり、かつ、4 pM (ピコモル/l) より高い該 NT-proCNP のレベルが、患者が敗血症の合併症を有するかまたは敗血症の合併症を発症する危険があることを示すことを特徴とする、請求項１から５のいずれか一項に記載の方法。
【請求項７】
CNP、その前駆体またはそれらの断片が、抗 NT-proCNP 抗体を用いることによって測定されることを特徴とする、請求項１から６のいずれか一項に記載の方法。
【請求項８】
CNP、その前駆体またはそれらの断片が、ヒトまたは動物の NT-proCNP 用のイムノアッセイ キットを用いることによって測定されることを特徴とする、請求項１から７のいずれか一項に記載の方法。
【請求項９】
外傷性脳傷害がない複数の外傷を負ったヒト患者における敗血症の合併症の検査において使用するための、CNP、その前駆体またはそれらの断片の測定用のイムノアッセイキットであって、以下を含むキット：
(a) 固定化された形態の CNP、その前駆体またはそれらの断片に対するモノクローナルまたはポリクローナル抗体、ならびに以下からなる群から選択される少なくとも１つのさらなる構成成分:
(b) CNP、その前駆体またはそれらの断片の標識されたサンプル;
(c) 固定化されていない形態の前記モノクローナルまたはポリクローナル抗体; および
(d) 前記抗体(c)に特異的な、標識された二次抗体。
【請求項１０】
イムノアッセイが、NT-proCNP イムノアッセイであることを特徴とする、請求項９に記載のイムノアッセイキット。
【手続補正２】
【補正対象書類名】明細書
【補正対象項目名】発明の名称
【補正方法】変更
【補正の内容】
【発明の名称】敗血症の合併症の検査
【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
（ａ）３０〜８０重量％のエポキシ含有成分；
（ｂ）５〜６５重量％の、その分子内にオキセタン環を含む化合物；
（ｃ）１〜２５重量％の、２，０００以上の分子量Ｍｗを有するポリオール；
（ｄ）アンチモン非含有カチオン性光開始剤；
を含み、ここで重量％は光硬化性組成物の全重量を基準とするものである光硬化性組成物。
【請求項２】
カチオン性光開始剤がトリアリールスルホニウムヘキサフルオロホスフェート塩を含む、請求項１に記載の光硬化性組成物。
【請求項３】
成分（ｂ）が、３−エチル−３−ヒドロキシメチルオキセタン、３−（メタ）アリルオキシメチル−３−エチルオキセタン、（３−エチル−３−オキセタニルメトキシ）メチルベンゼン、４−フルオロ［１−（３−エチル−３−オキセタニルメトキシ）メチル］ベンゼン、４−メトキシ［１−（３−エチル−３−オキセタニルメトキシ）メチル］ベンゼン、［１−（３−エチル−３−オキセタニルメトキシ）エチル］フェニルエーテル、イソブトキシメチル（３−エチル−３−オキセタニルメチル）エーテル、イソボルニルオキシエチル（３−エチル−３−オキセタニルメチル）エーテル、イソボルニル（３−エチル−３−オキセタニルメチル）エーテル、２−エチルヘキシル（３−エチル−３−オキセタニルメチル）エーテル、エチルジエチレングリコール（３−エチル−３−オキセタニルメチル）エーテル、ジシクロペンタジエン（３−エチル−３−オキセタニルメチル）エーテル、ジシクロペンテニルオキシエチル（３−エチル−３−オキセタニルメチル）エーテル、ジシクロペンテニル（３−エチル−３−オキセタニルメチル）エーテル、テトラヒドロフルフリル（３−エチル−３−オキセタニルメチル）エーテル、テトラブロモフェニル（３−エチル−３−オキセタニルメチル）エーテル、２−テトラブロモフェノキシエチル（３−エチル−３−オキセタニルメチル）エーテル、トリブロモフェニル（３−エチル−３−オキセタニルメチル）エーテル、２−トリブロモフェノキシエチル（３−エチル−３−オキセタニルメチル）エーテル、２−ヒドロキシエチル（３−エチル−３−オキセタニルメチル）エーテル、２−ヒドロキシプロピル（３−エチル−３−オキセタニルメチル）エーテル、ブトキシエチル（３−エチル−３−オキセタニルメチル）エーテル、ペンタクロロフェニル（３−エチル−３−オキセタニルメチル）エーテル、ペンタブロモフェニル（３−エチル−３−オキセタニルメチル）エーテル、ボルニル（３−エチル−３−オキセタニルメチル）エーテルから選択される、請求項１又は２に記載の光硬化性組成物。
【請求項４】
成分（ｂ）が、組成物の全重量を基準として５〜４０重量％の量、最も好ましくは５〜２５重量％の量で存在する、請求項１〜３のいずれかに記載の光硬化性組成物。
【請求項５】
成分（ｃ）のポリオールがポリエーテルポリオールである、請求項１〜４のいずれかに記載の光硬化性組成物。
【請求項６】
組成物が、成分（ｇ）として、アルコール官能基を有し、１，５００以下、好ましくは７５０以下、より好ましくは５００以下の分子量Ｍｗを有する化合物を含む、請求項１〜５のいずれかに記載の光硬化性組成物。
【請求項７】
成分（ｇ）の化合物が、ポリ（オキシテトラメチレン）ポリオール、ポリ（オキシプロピレン）ポリオール、ポリ（オキシエチレン）ポリオール、ヒドロキシ末端ポリブタジエン、又はヒドロキシ末端ポリシロキサンから選択される、請求項６に記載の光硬化性組成物。
【請求項８】
成分（ｆ）として、組成物の全重量を基準として５〜４０重量％の（メタ）アクリレートを含む、請求項１〜７のいずれかに記載の光硬化性組成物。
【請求項９】
４０より高いＬ＊値を示す、請求項１〜８のいずれかに記載の光硬化性組成物。
【請求項１０】
組成物が、成分（ｃ）として２，０００以上の分子量を有するポリオールと、５００以下の分子量を有するヒドロキシル含有化合物（ｇ）との組みあわせを含む、請求項１〜９のいずれかに記載の光硬化性組成物。
【請求項１１】
（ａ）３０〜８０重量％のエポキシ含有化合物；
（ｂ）５〜６５重量％の、その分子内にオキセタン環を含む化合物；
（ｃ）１〜２５重量％の、２，０００以上の分子量Ｍｗを有するポリオール；
（ｄ）０．２〜１０重量％のアンチモン非含有カチオン性光開始剤；
（ｅ）０．０１〜１０重量％の遊離基光開始剤；及び場合によっては
（ｈ）１種類以上の安定剤；
を含み、ここで重量％は光硬化性組成物の全重量を基準とするものである、請求項１〜１０のいずれかに記載の光硬化性組成物。
【請求項１２】
（ａ）３０〜８０重量％の脂環式又はペル水素化芳香族部分を有するエポキシ含有成分；
（ｂ）５〜６５重量％の、その分子内にオキセタン環を含む化合物；
（ｃ）１〜２５重量％の、２，０００以上の分子量Ｍｗを有するポリオール；
（ｄ）アンチモン非含有カチオン性光開始剤；
（ｆ）５〜６０％の、脂環式、水素化、又はペル水素化芳香族部分を有する（メタ）アクリル成分；
を含み、ここで重量％は光硬化性組成物の全重量を基準とするものである、請求項１〜１１のいずれかに記載の光硬化性組成物。
【請求項１３】
（ａ）３０〜８０重量％のエポキシ含有化合物；
（ｂ）５〜６５重量％の、その分子内にオキセタン環を含む化合物；
（ｃ）１〜２５重量％の、２，０００以上の分子量Ｍｗを有するポリオール；
（ｄ）０．２〜１０重量％のアンチモン非含有カチオン性光開始剤；
（ｅ）０．０１〜１０重量％の遊離基光開始剤；及び場合によっては
（ｇ）０．５〜１０重量％の、ＯＨ基及び１，０００より低い分子量Ｍｗを有する化合物；
（ｈ）１種類以上の安定剤；
を含み、ここで重量％は光硬化性組成物の全重量を基準とするものである、請求項１〜１２のいずれかに記載の光硬化性組成物。
【請求項１４】
（Ａ）請求項１〜１３のいずれかに記載の硬化性組成物の層を表面上に施し；
（Ｂ）層を化学線照射に像様曝露して画像様横断面を形成し；
（Ｃ）請求項１〜１３のいずれかに記載の組成物の第２の層を従前に曝露した画像様横断面上に施し；
（Ｄ）工程（Ｃ）からの薄層を化学線照射に像様曝露して更なる画像様横断面を形成し、ここで、照射によって曝露領域内の第２の層の硬化及び従前に曝露した横断面への接着を引き起こし；
（Ｅ）３次元物品を形成するために工程（Ｃ）及び（Ｄ）を繰り返す；
ことを含む、３次元物品の製造方法。
【請求項１５】
請求項１４に記載の方法によって製造される３次元物品。